【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
通信の方法であって、
第１のワイヤレスデバイスにおいて、第１の縮小基本サービスセット識別子（ＢＳＳＩＤ）が第２のワイヤレスデバイスによって第１の基本サービスセット（ＢＳＳ）のために使用されているという指示を受信することと、
前記第１のＢＳＳのＢＳＳＩＤを識別することと、
バックホール通信を介して、中央コントローラまたは前記第２のワイヤレスデバイスの少なくとも１つまたは複数と、それぞれの縮小ＢＳＳＩＤに関係する使用情報を通信することと、前記通信することが、前記第１のＢＳＳの前記識別されたＢＳＳＩＤに少なくとも部分的に基づく、
前記バックホール通信を介して通信された前記使用情報に少なくとも部分的に基づいて、前記第１のＢＳＳのために使用されている前記第１の縮小ＢＳＳＩＤが第２のＢＳＳのために使用されていることを検出することと、
前記検出することに少なくとも部分的に基づいて、前記第１のＢＳＳのための前記第１の縮小ＢＳＳＩＤから変更したいという要求を、前記第２のワイヤレスデバイスに送信することと
を備える、方法。
【請求項２】
前記第１の縮小ＢＳＳＩＤが前記第２のワイヤレスデバイスによって前記第１のＢＳＳのために使用されているという前記指示を受信することが、
前記第２のワイヤレスデバイスからブロードキャスト通信を受信することを備え、前記ブロードキャスト通信が、前記第１のＢＳＳのために使用されている前記第１の縮小ＢＳＳＩＤを含む、
請求項１に記載の方法。
【請求項３】
前記第１の縮小ＢＳＳＩＤが前記第２のワイヤレスデバイスによって前記第１のＢＳＳのために使用されているという前記指示を受信することが、
前記第２のＢＳＳに関連する局から前記第１のＢＳＳのために使用されている前記第１の縮小ＢＳＳＩＤを受信することを備え、前記第１のＢＳＳのために使用されている前記第１の縮小ＢＳＳＩＤが、前記第２のワイヤレスデバイスからのブロードキャスト通信を介して前記第２のＢＳＳに関連する前記局において受信されている、
請求項１に記載の方法。
【請求項４】
前記第１のＢＳＳまたは前記第２のＢＳＳによって使用中でない第２の縮小ＢＳＳＩＤを決定することをさらに備え、前記第１のＢＳＳのための前記第１の縮小ＢＳＳＩＤから変更したいという前記要求が、前記第２の縮小ＢＳＳＩＤに少なくとも部分的に基づく、
請求項１に記載の方法。
【請求項５】
前記第２の縮小ＢＳＳＩＤを決定することは、前記第２の縮小ＢＳＳＩＤが、前記第１のＢＳＳおよび前記第２のＢＳＳ以外の隣接ＢＳＳによって使用中でないと決定することを備える、請求項４に記載の方法。
【請求項６】
前記第２のワイヤレスデバイスに関連する情報を含むブロードキャスト通信を受信することをさらに備え、前記情報が、縮小ＢＳＳＩＤのセットアップ時間と、前記第１のＢＳＳの縮小ＢＳＳＩＤの利用可能な値の量と、前記第１のＢＳＳに隣接する他のＢＳＳの縮小ＢＳＳＩＤの利用可能な値の量と、前記第１のＢＳＳに関連する局の量と、アクティブ局の量とからなるグループから選択される少なくとも１つを含む、
請求項１に記載の方法。
【請求項７】
前記受信されたブロードキャスト情報を前記第２のＢＳＳの対応する情報と比較することをさらに備え、前記前記第１のＢＳＳのための前記第１の縮小ＢＳＳＩＤから変更したいという前記要求を送信することが、前記比較に少なくとも部分的に基づく、
請求項６に記載の方法。
【請求項８】
前記第１のＢＳＳから第１のフレームを受信することと、前記第１のフレームが前記第１のＢＳＳのための前記第１の縮小ＢＳＳＩＤを含む、
前記第２のＢＳＳから第２のフレームを受信することと、前記第２のフレームが前記第２のＢＳＳのための前記第１の縮小ＢＳＳＩＤを含む、
をさらに備える、請求項１に記載の方法。
【請求項９】
前記第１のＢＳＳのために使用されている前記第１の縮小ＢＳＳＩＤが第２のＢＳＳのために使用されていることを検出することが、
前記第１のフレーム中で前記第１のＢＳＳの媒体アクセス制御（ＭＡＣ）アドレスを識別することと、
前記第２のフレーム中で前記第２のＢＳＳのＭＡＣアドレスを識別することと、
前記第１のＢＳＳの前記ＭＡＣアドレスと前記第２のＢＳＳの前記ＭＡＣアドレスとに少なくとも部分的に基づいて、前記第１のフレームと前記第２のフレームとが異なるＢＳＳからのものであると決定することと
を備える、請求項８に記載の方法。
【請求項１０】
前記第２のワイヤレスデバイスまたは前記第２のＢＳＳに関連する第３のワイヤレスデバイスの一方または両方に衝突報告を送ることをさらに備え、前記衝突報告は、前記第１のＢＳＳのために使用されている前記第１の縮小ＢＳＳＩＤが前記第２のＢＳＳのために使用されていることを示す、
請求項９に記載の方法。
【請求項１１】
前記中央コントローラと前記第２のワイヤレスデバイスとからなるグループから選択される前記少なくとも１つに前記第１のＢＳＳの前記使用情報についての要求を送ること
をさらに備える、請求項１に記載の方法。
【請求項１２】
前記使用情報を通信することが、
前記中央コントローラまたは前記第２のワイヤレスデバイスからなるグループから選択される前記少なくとも１つから前記第１のＢＳＳの前記使用情報を受信すること
を備える、請求項１に記載の方法。
【請求項１３】
前記第２のＢＳＳに関連する第３のワイヤレスデバイスに、前記第２のＢＳＳのために使用されている前記第１の縮小ＢＳＳＩＤから変更したいという要求を送信すること
をさらに備える、請求項１に記載の方法。
【請求項１４】
前記第１のＢＳＳのために使用されている前記第１の縮小ＢＳＳＩＤが第２のＢＳＳのために使用されていることを検出することが、
前記第１のＢＳＳまたは前記第２のＢＳＳのうちの少なくとも１つのための前記第１の縮小ＢＳＳＩＤから変更したいという要求を受信すること
を備える、請求項１に記載の方法。
【請求項１５】
前記第１のＢＳＳによってサービスされる局の前記第１の縮小ＢＳＳＩＤから変更したいという前記要求の告知を送信すること
をさらに備える、請求項１に記載の方法。
【請求項１６】
前記告知が、前記変更要求のためのスケジュールされた時間を備える、請求項１５に記載の方法。
【請求項１７】
前記告知が、送信制限モードの指示を備える、請求項１５に記載の方法。
【請求項１８】
前記第２のＢＳＳが、前記第１のワイヤレスデバイスに関連する、請求項１に記載の方法。
【請求項１９】
前記第２のＢＳＳは、第３のワイヤレスデバイスに関連する、請求項１に記載の方法。
【請求項２０】
通信デバイスであって、
第１の縮小基本サービスセット識別子（ＢＳＳＩＤ）が第２の通信デバイスによって第１の基本サービスセット（ＢＳＳ）のために使用されているという指示を受信し、前記第１のＢＳＳのために使用されている前記第１の縮小ＢＳＳＩＤが第２のＢＳＳのために使用されていることを検出するための縮小バージョンＢＳＳＩＤ検出器と、
前記第１のＢＳＳのＢＳＳＩＤを識別するためのＢＳＳ識別マネージャと、
前記第１のＢＳＳの前記ＢＳＳＩＤに少なくとも部分的に基づいて、中央コントローラまたは前記第２の通信デバイスの少なくとも１つまたは複数とのそれぞれの縮小ＢＳＳＩＤに関係する使用情報のバックホールを介した通信を容易にするための通信コーディネータと、前記縮小バージョンＢＳＳＩＤ検出器は、前記バックホールを介して通信された前記使用情報に少なくとも部分的に基づいて、前記第１のＢＳＳのために使用されている前記第１の縮小ＢＳＳＩＤが第２のＢＳＳのために使用されていることを検出する、
前記検出することに少なくとも部分的に基づいて、前記第１のＢＳＳのための前記第１の縮小ＢＳＳＩＤから変更したいという要求を、前記第２の通信デバイスに送信するための縮小バージョンＢＳＳＩＤアドミニストレータと
を備える、通信デバイス。
【請求項２１】
前記第２の通信デバイスからブロードキャスト通信を受信することを容易にする通信コーディネータをさらに備え、前記ブロードキャスト通信が、前記第１のＢＳＳのために使用されている前記第１の縮小ＢＳＳＩＤを含む、
請求項２０に記載の通信デバイス。
【請求項２２】
前記第２のＢＳＳに関連する局から前記第１のＢＳＳのために使用されている前記第１の縮小ＢＳＳＩＤを受信することを容易にする通信コーディネータをさらに備え、前記第１のＢＳＳのために使用されている前記第１の縮小ＢＳＳＩＤが、前記第２の通信デバイスからのブロードキャスト通信を介して前記第２のＢＳＳに関連する前記局において受信されている、
請求項２０に記載の通信デバイス。
【請求項２３】
前記第１のＢＳＳまたは前記第２のＢＳＳによって使用中でない第２の縮小ＢＳＳＩＤを決定するための縮小バージョンＢＳＳＩＤ評価器をさらに備え、前記第１のＢＳＳのための前記第１の縮小ＢＳＳＩＤから変更したいという前記要求が、前記第２の縮小ＢＳＳＩＤに少なくとも部分的に基づく、
請求項２０に記載の通信デバイス。
【請求項２４】
前記縮小バージョンＢＳＳＩＤ評価器は、前記第２の縮小ＢＳＳＩＤが、前記第１のＢＳＳおよび前記第２のＢＳＳ以外の隣接ＢＳＳによって使用中でないと決定することをさらにサポートする、請求項２３に記載の通信デバイス。
【請求項２５】
前記第２の通信デバイスに関連する情報を含むブロードキャスト通信を受信することを容易にする通信コーディネータをさらに備え、前記情報が、縮小ＢＳＳＩＤのセットアップ時間と、前記第１のＢＳＳの縮小ＢＳＳＩＤの利用可能な値の量と、前記第１のＢＳＳに隣接する他のＢＳＳの縮小ＢＳＳＩＤの利用可能な値の量と、前記第１のＢＳＳに関連する局の量と、アクティブ局の量とからなるグループから選択される少なくとも１つを含む、
請求項２０に記載の通信デバイス。
【請求項２６】
前記第１のＢＳＳから第１のフレームを受信することと、前記第１のフレームが前記第１のＢＳＳのための前記第１の縮小ＢＳＳＩＤを含み、前記第２のＢＳＳから第２のフレームを受信することと、前記第２のフレームが前記第２のＢＳＳのための前記第１の縮小ＢＳＳＩＤを含む、を容易にする通信コーディネータ
をさらに備える、請求項２０に記載の通信デバイス。
【請求項２７】
通信デバイスであって、
プロセッサと、
前記プロセッサと通信しているメモリと、
前記メモリに記憶された命令とを備え、前記命令が、前記通信デバイスに、
第１の縮小基本サービスセット識別子（ＢＳＳＩＤ）が第２の通信デバイスによって第１の基本サービスセット（ＢＳＳ）のために使用されているという指示を受信することと、
前記第１のＢＳＳのＢＳＳＩＤを識別することと、
バックホール通信を介して、中央コントローラまたは前記第２のワイヤレスデバイスの少なくとも１つまたは複数と、それぞれの縮小ＢＳＳＩＤに関係する使用情報を通信することと、前記通信が、前記第１のＢＳＳの前記識別されたＢＳＳＩＤに少なくとも部分的に基づく、
前記バックホール通信を介して通信された前記使用情報に少なくとも部分的に基づいて、前記第１のＢＳＳのために使用されている前記第１の縮小ＢＳＳＩＤが第２のＢＳＳのために使用されていることを検出することと、
前記検出に少なくとも部分的に基づいて、前記第１のＢＳＳのための前記第１の縮小ＢＳＳＩＤから変更したいという要求を、前記第２の通信デバイスに送信することと
を行わせるように前記プロセッサによって実行可能である、通信デバイス。
【請求項２８】
ワイヤレスデバイスにおける通信のためのコードを記憶する非一時的コンピュータ可読媒体であって、前記コードが、
前記ワイヤレスデバイスにおいて、第１の縮小基本サービスセット識別子（ＢＳＳＩＤ）が第２のワイヤレスデバイスによって第１の基本サービスセット（ＢＳＳ）のために使用されているという指示を受信することと、
前記第１のＢＳＳのＢＳＳＩＤを識別することと、
バックホール通信を介して、中央コントローラまたは前記第２のワイヤレスデバイスの少なくとも１つまたは複数と、それぞれの縮小ＢＳＳＩＤに関係する使用情報を通信することと、前記通信が、前記第１のＢＳＳの前記識別されたＢＳＳＩＤに少なくとも部分的に基づく、
前記バックホール通信を介して通信された前記使用情報に少なくとも部分的に基づいて、前記第１のＢＳＳのために使用されている前記第１の縮小ＢＳＳＩＤが第２のＢＳＳのために使用されていることを検出することと、
前記検出に少なくとも部分的に基づいて、前記第１のＢＳＳのための前記第１の縮小ＢＳＳＩＤから変更したいという要求を、前記第２のワイヤレスデバイスに送信することと
を行うように実行可能な命令を備える、非一時的コンピュータ可読媒体。
【手続補正２】
【補正対象書類名】明細書
【補正対象項目名】０１１８
【補正方法】変更
【補正の内容】
【０１１８】
[0137]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示された原理および新規の特徴に合致する最も広い範囲を与えられるべきである。
以下に、本願の出願当初の特許請求の範囲に記載された発明を付記する。
［Ｃ１］
ワイヤレスデバイスにおける通信の方法であって、
第１の基本サービスセット（ＢＳＳ）と第２のＢＳＳとが、それぞれの基本サービスセット識別子（ＢＳＳＩＤ）の縮小バージョンに対して同じ値を使用していることを検出することと、
前記検出に少なくとも部分的に基づいて、前記第１のＢＳＳの前記ＢＳＳＩＤの前記縮小バージョンと前記第２のＢＳＳの前記ＢＳＳＩＤの前記縮小バージョンとからなる前記グループから選択された少なくとも１つの識別子の前記値からの変更をトリガすることと  を備える、方法。
［Ｃ２］
前記第１のＢＳＳと前記第２のＢＳＳとがそれぞれのＢＳＳＩＤの縮小バージョンに対して前記同じ値を使用していることを検出することが、
前記第２のＢＳＳのアクセスポイントからブロードキャスト通信を受信すること、ここにおいて、前記ブロードキャスト通信が、前記第２のＢＳＳの前記値を含む、
を備える、Ｃ１に記載の方法。
［Ｃ３］
前記第１のＢＳＳと前記第２のＢＳＳとがそれぞれのＢＳＳＩＤの縮小バージョンに対して前記同じ値を使用していることを検出することが、
前記第１のＢＳＳに関連する局から前記第２のＢＳＳの前記値を受信すること、前記第２のＢＳＳの前記値が、前記第２のＢＳＳのアクセスポイントからのブロードキャスト通信を介して前記第１のＢＳＳに関連する前記局において受信されている、
を備える、Ｃ１に記載の方法。
［Ｃ４］
前記少なくとも１つの識別子の前記値からの前記変更をトリガすることが、
前記第１のＢＳＳまたは前記第２のＢＳＳによって使用中でない前記少なくとも１つの選択された識別子の新しい値を決定すること、ここにおいて、前記同じ値からの前記変更が、前記新しい値に少なくとも部分的に基づく、
を備える、Ｃ１に記載の方法。
［Ｃ５］
前記新しい値を決定することは、前記新しい値が、前記第１のＢＳＳおよび前記第２のＢＳＳ以外の隣接ＢＳＳによって使用中でないと決定することをさらに備える、Ｃ４に記載の方法。
［Ｃ６］
前記少なくとも１つの識別子の前記値からの前記変更をトリガすることが、
前記第１のＢＳＳまたは前記第２のＢＳＳのうちの１つについて、前記第１のＢＳＳまたは前記第２のＢＳＳのうちの他方によって使用中でないＢＳＳＩＤの縮小バージョンの新しい値を決定すること、ここにおいて、前記同じ値からの前記トリガされる変更が、前記新しい値に少なくとも部分的に基づく、
を備える、Ｃ１に記載の方法。
［Ｃ７］
前記少なくとも１つの識別子の前記値からの前記変更をトリガすることが、
前記第２のＢＳＳのアクセスポイントに関連する情報を備えるブロードキャスト通信を受信すること、ここにおいて、前記情報が、ＢＳＳＩＤの縮小バージョンのセットアップ時間と、前記第２のＢＳＳのＢＳＳＩＤの縮小バージョンの利用可能な値の量と、前記第２のＢＳＳに隣接する他のＢＳＳのＢＳＳＩＤの縮小バージョンの利用可能な値の量と、前記第２のＢＳＳに関連する局の量と、アクティブ局の量とからなる前記グループから選択される少なくとも１つを含む、
を備える、Ｃ１に記載の方法。
［Ｃ８］
前記受信されたブロードキャスト情報を前記第１のＢＳＳの対応する情報と比較すること、ここにおいて、前記トリガすることが、前記比較に少なくとも部分的に基づく、
をさらに備える、Ｃ７に記載の方法。
［Ｃ９］
前記第１のＢＳＳから第１のフレームを受信することと、前記第１のフレームが前記第１のＢＳＳの前記値を含む、
前記第２のＢＳＳから第２のフレームを受信することと、前記第２のフレームが前記第２のＢＳＳの前記値を含む、
をさらに備える、Ｃ１に記載の方法。
［Ｃ１０］
前記第１のＢＳＳと前記第２のＢＳＳとがそれぞれのＢＳＳＩＤの縮小バージョンに対して前記同じ値を使用していることを検出することが、
前記第１のフレーム中で前記第１のＢＳＳの媒体アクセス制御（ＭＡＣ）アドレスを識別することと、
前記第２のフレーム中で前記第２のＢＳＳのＭＡＣアドレスを識別することと、
前記第１のＢＳＳの前記ＭＡＣアドレスと前記第２のＢＳＳの前記ＭＡＣアドレスとに少なくとも部分的に基づいて、前記第１のフレームと前記第２のフレームとが異なるＢＳＳからのものであると決定することと
を備える、Ｃ９に記載の方法。
［Ｃ１１］
前記少なくとも１つの識別子の前記値からの前記変更をトリガすることが、
前記第１のＢＳＳに関連する第１のアクセスポイントまたは前記第２のＢＳＳに関連する第２のアクセスポイントの一方または両方に衝突報告を送ること、前記衝突報告は、前記第１のＢＳＳと前記第２のＢＳＳとがそれぞれのＢＳＳＩＤの縮小バージョンに対して前記同じ値を有することを示す、
を備える、Ｃ１０に記載の方法。
［Ｃ１２］
前記第１のＢＳＳと前記第２のＢＳＳとがそれぞれのＢＳＳＩＤの縮小バージョンに対して前記同じ値を使用していることを検出することが、
前記第２のＢＳＳの前記ＢＳＳＩＤを識別すること
を備え、
前記方法が、
バックホール通信を介して、中央コントローラと前記第２のＢＳＳのＡＰとからなる前記グループから選択される少なくとも１つと、それぞれのＢＳＳＩＤの縮小バージョンに関係する使用情報を通信すること、前記通信することが、前記第２のＢＳＳの前記識別されたＢＳＳＩＤに少なくとも部分的に基づく、
をさらに備える、Ｃ１に記載の方法。
［Ｃ１３］
前記中央コントローラと前記第２のＢＳＳのアクセスポイントとからなる前記グループから選択される前記少なくとも１つに前記第２のＢＳＳの前記使用情報についての要求を送ること
をさらに備える、Ｃ１２に記載の方法。
［Ｃ１４］
前記使用情報を通信することが、
前記中央コントローラまたは前記第２のＢＳＳのアクセスポイントからなる前記グループから選択される前記少なくとも１つから前記第２のＢＳＳの前記使用情報を受信すること
を備える、Ｃ１２に記載の方法。
［Ｃ１５］
前記少なくとも１つの識別子の前記値からの前記変更をトリガすることが、
前記第１のＢＳＳに関連するＡＰと前記第２のＢＳＳに関連するＡＰとからなる前記グループから選択される少なくとも１つに、前記同じ値からの変更の要求を送ること
を備える、Ｃ１に記載の方法。
［Ｃ１６］
前記少なくとも１つの識別子の前記値からの前記変更をトリガすることが、
前記第１のＢＳＳまたは前記第２のＢＳＳのうちの少なくとも１つのための前記ＢＳＳＩＤの前記縮小バージョンを変更したいという要求に少なくとも部分的に基づいて前記同じ値からの前記変更を決定すること
を備える、Ｃ１に記載の方法。
［Ｃ１７］
前記同じ値からの前記変更に関連する少なくとも１つのＢＳＳによってサービスされる局の前記同じ値からの前記変更の告知を送信すること
をさらに備える、Ｃ１に記載の方法。
［Ｃ１８］
前記告知が、前記トリガされる変更のためのスケジュールされた時間をさらに備える、Ｃ１７に記載の方法。
［Ｃ１９］
前記告知が、送信制限モードの指示をさらに備える、Ｃ１７に記載の方法。
［Ｃ２０］
通信デバイスであって、
第１の基本サービスセット（ＢＳＳ）と第２のＢＳＳとが、それぞれの基本サービスセット識別子（ＢＳＳＩＤ）の縮小バージョンに対して同じ値を使用していることを検出するための縮小バージョンＢＳＳＩＤ検出器と、
前記検出に少なくとも部分的に基づいて、前記第１のＢＳＳのための前記ＢＳＳＩＤの前記縮小バージョンと前記第２のＢＳＳのための前記ＢＳＳＩＤの前記縮小バージョンとからなる前記グループから選択された少なくとも１つの識別子の前記値からの変更をトリガするための縮小バージョンＢＳＳＩＤアドミニストレータと
を備える、通信デバイス。
［Ｃ２１］
前記第２のＢＳＳのアクセスポイントからブロードキャスト通信を受信することを容易にする通信コーディネータ、ここにおいて、前記ブロードキャスト通信が、前記第２のＢＳＳの前記値を含む、
をさらに備える、Ｃ２０に記載の通信デバイス。
［Ｃ２２］
前記第１のＢＳＳに関連する局から前記第２のＢＳＳの前記値を受信することを容易にする通信コーディネータ、前記第２のＢＳＳの前記値が、前記第２のＢＳＳのＡＰからのブロードキャスト通信を介して前記第１のＢＳＳに関連する前記局において受信されている、
をさらに備える、Ｃ２０に記載の通信デバイス。
［Ｃ２３］
前記第１のＢＳＳまたは前記第２のＢＳＳによって使用中でない前記少なくとも１つの選択された識別子の新しい値を決定するための縮小バージョンＢＳＳＩＤ評価器、ここにおいて、前記値の前記変更が、前記新しい値に少なくとも部分的に基づく、
をさらに備える、Ｃ２０に記載の通信デバイス。
［Ｃ２４］
前記縮小バージョンＢＳＳＩＤ評価器は、前記新しい値が、前記第１のＢＳＳおよび前記第２のＢＳＳ以外の隣接ＢＳＳによって使用中でないと決定することをさらにサポートする、Ｃ２３に記載の通信デバイス。
［Ｃ２５］
前記第１のＢＳＳまたは前記第２のＢＳＳのうちの１つについて、前記第１のＢＳＳまたは前記第２のＢＳＳのうちの他方によって使用中でないＢＳＳＩＤの縮小バージョンの新しい値を決定するための前記縮小バージョンＢＳＳＩＤ評価器、ここにおいて、前記同じ値からの前記トリガされる変更が、前記新しい値に少なくとも部分的に基づく、
をさらに備える、Ｃ２０に記載の通信デバイス。
［Ｃ２６］
前記第２のＢＳＳのアクセスポイントに関連する情報を備えるブロードキャスト通信を受信することを容易にする通信コーディネータ、ここにおいて、前記情報が、ＢＳＳＩＤの縮小バージョンのセットアップ時間と、前記第２のＢＳＳと前記第２のＢＳＳに隣接するＢＳＳとのＢＳＳＩＤの縮小バージョンの未使用の値の量と、関連する局の量と、アクティブ局の量とからなる前記グループから選択される少なくとも１つを含む、
をさらに備える、Ｃ２０に記載の通信デバイス。
［Ｃ２７］
前記第１のＢＳＳから第１のフレームを受信することと、前記第１のフレームが前記第１のＢＳＳの前記値を含む、前記第２のＢＳＳから第２のフレームを受信することと、前記第２のフレームが前記第２のＢＳＳの前記値を含む、を容易にする通信コーディネータ  をさらに備える、Ｃ２０に記載の通信デバイス。
［Ｃ２８］
前記第２のＢＳＳのＢＳＳＩＤを識別するためのＢＳＳ識別マネージャと、
バックホールを介して、前記第２のＢＳＳの前記ＢＳＳＩＤに少なくとも部分的に基づいて中央コントローラと前記第２のＢＳＳのアクセスポイントとからなる前記グループから選択される少なくとも１つとのそれぞれのＢＳＳＩＤの縮小バージョンに関係する使用情報の通信を容易にするための通信コーディネータと
をさらに備える、Ｃ２０に記載の通信デバイス。
［Ｃ２９］
通信デバイスであって、
プロセッサと、
前記プロセッサと通信しているメモリと、
前記メモリに記憶された命令とを備え、前記命令が、前記通信デバイスに、
第１の基本サービスセット（ＢＳＳ）と第２のＢＳＳとが、それぞれの基本サービスセット識別子（ＢＳＳＩＤ）の縮小バージョンに対して同じ値を使用していることを検出することと、
前記検出に少なくとも部分的に基づいて、前記第１のＢＳＳのための前記ＢＳＳＩＤの前記縮小バージョンと前記第２のＢＳＳのための前記ＢＳＳＩＤの前記縮小バージョンとからなる前記グループから選択された少なくとも１つの識別子の前記値からの変更をトリガすることと
を行わせるように前記プロセッサによって実行可能である、通信デバイス。
［Ｃ３０］
ワイヤレスデバイスにおける通信のためのコードを記憶する非一時的コンピュータ可読媒体であって、前記コードが、
第１の基本サービスセット（ＢＳＳ）と第２のＢＳＳとが、それぞれのＢＳＳＩＤの縮小バージョンに対して同じ値を使用していることを検出することと、
前記検出に少なくとも部分的に基づいて、前記第１のＢＳＳのための前記ＢＳＳＩＤの前記縮小バージョンと前記第２のＢＳＳのための前記ＢＳＳＩＤの前記縮小バージョンとからなる前記グループから選択された少なくとも１つの識別子の前記値の変更をトリガすることと
を行うように実行可能な命令を備える、非一時的コンピュータ可読媒体。